(57)【要約】【課題】フレームの縁であってスピーカ取り付け領域を前面からみて小さく見せるように改良したことで、この構造を新たな機能として利用できるようにする。【解決手段】前面フレームの下部に位置するフレーム形成部分１２ａ４と、前記フレーム形成部分に横方向に矩形状の放音部２１Ｒと、前記放音部のホーン形状を得るためにホーン形状となる第１、第２の壁２２，２３と、下側の第２の壁の前面側に連続し、下側に向かうに従って湾曲しながら後退して傾斜している第３の壁２３ａと、前記フレーム形成部分１２ａ４に形成されたリモートコントロール信号用の受信窓５３と、支持部１５ａ−１５ｆと、前記支持部に取り付けられたスピーカ装置６０Ｒ，６０Ｌと、前記スピーカ装置６０Ｒ，６０Ｌと前記フレーム形成部分１２ａ４との間に配置された、リモコン回路を搭載した基板８０とを有する。【選択図】      図８
2006345294.tif 000002
【特許請求の範囲】
【請求項１】
キャビネットに映像表示器及びスピーカ装置が取り付けられる映像表示装置において、
前記映像表示器の表示画面が中央の開口から露出して配置される前記キャビネットを形成した前面フレームと、
前記前面フレームの一部を形成しており該前面フレームの下部に位置するフレーム形成部分と、
前記フレーム形成部分の長手方向に細長に開口し、この開口を前面開口とするホーン部を形成するための対向面が、断面から見て前面開口から後部開口に向かうに従って、互いに湾曲して近づきながら暫時後退した位置に前記後部開口を形成している放音部と、
前記フレーム形成部分の前記放音部の近くで、前記フレーム形成部分に形成されたリモートコントロール信号用の受信窓と、
前記フレーム形成部分の裏面に起立して形成された支持部と、
前記支持部に取り付けられ、音響出力部となる開口を有し、この開口が前記放音部の後部開口に連通するスピーカ装置と、
前記スピーカ装置と前記フレーム形成部分との間であって、前記リモートコントロール信号用の受信窓に対向して配置された、リモコン回路を搭載した基板と、
を有する映像表示装置。
【請求項２】
キャビネットに映像表示器及びスピーカ装置が取り付けられる映像表示装置において、
前記映像表示器の表示画面が中央の開口から露出して配置される前記キャビネットを形成した前面フレームと、
前記前面フレームの一部を形成しており該前面フレームの下部に位置するフレーム形成部分と、
前記フレーム形成部分の長手方向に細長に開口し、この開口を前面開口とするホーン部を形成するための対向面が、断面から見て前面開口から後部開口に向かうに従って、互いに湾曲して近づきながら暫時後退した位置に前記後部開口を形成している放音部と、
前記フレーム形成部分の前記放音部の近くで、前記フレーム形成部分に形成されたインジケータ用の窓と、
前記フレーム形成部分の裏面に起立して形成された支持部と、
前記支持部に取り付けられ、音響出力部となる開口を有し、この開口が前記放音部の後部開口に連通しているスピーカ装置と、
前記スピーカ装置と前記フレーム形成部分との間であって、前記インジケータ用の窓に対向して配置された、インジケータ用回路を搭載した基板と、
を有する映像表示装置。
【請求項３】
前記放音部の前記前面開口の下部辺に連続して形成されており、下側に向かうに従って前記前面フレームの背面方向へ湾曲しながら後退して傾斜しているキャビネット面を有することを特徴とする請求項１又は２記載の映像表示装置。
【請求項４】
前記放音部は、前記フレーム形成部分（１２ａ４）の長手方向に細長に開口し、この開口を前面開口とするホーン部を形成するための対向面が、断面から見て前面開口から後部開口に向かうに従って、互いに上下方向から湾曲して近づきながら暫時後退した位置に前記後部開口を形成しており、
前記支持部は、
前記フレーム形成部分の裏面で前記放音部の後部開口の周囲に起立して形成されており、
前記スピーカ装置は、
音響出力部となる開口を有し、この開口が前記放音部の後部開口に合致するように、前記支持部に取り付けられていることを特徴とする
請求項１又は２記載の映像表示装置。
【請求項５】
前記放音部と前記スピーカ装置とは一体に構成されていることを特徴とする請求項１又は２記載の映像表示装置。
【請求項６】
前記放音部と前記スピーカ装置とは別体で構成され、組み立てにより一体化されていることを特徴とする請求項１又は２記載の映像表示装置。
【請求項７】
前記リモートコントロール信号用の受信窓は、前記放音部の上側に形成されており、
前記基板は、前記リモートコントロール信号用の受信窓とスピーカ装置の間に配置されていることを特徴とする請求項１又は２記載の映像表示装置。
【請求項８】
前記インジケータ用の窓は、前記放音部の上側に形成されており、
前記基板は、前記インジケータ用の窓とスピーカ装置の間に配置されていることを特徴とする請求項１又は２記載の映像表示装置。
【発明の詳細な説明】
【技術分野】
【０００１】
この発明は、例えばデジタルテレビジョン放送受信装置等の映像表示装置に関するもので、特に、前面から見た概観を改善することに伴いキャビネットの一部であるフレームの構造及びスピーカ配置等に工夫が施されたものである。
【背景技術】
【０００２】
近年では、テレビジョン放送のデジタル化が推進されてきている。例えば、日本国内においては、ＢＳ（broadcasting satellite）デジタル放送及び１１０度ＣＳ（communication satellite）デジタル放送等の衛星デジタル放送だけでなく、地上デジタル放送も開始されている。
【０００３】
また現在のテレビジョン放送受信装置にあっては、その映像表示部に液晶ディスプレイ、プラズマディスプレイ、ＳＥＤディスプレイ等でなるフラットパネルディスプレイを採用した、薄型で大画面のものが普及する傾向にある。
【０００４】
薄型で大画面化した映像表示装置であってもオーディオ出力を得るためのスピーカは必須である。スピーカは、音響効果を低下させないようにキャビネットに取り付けなければならない。このために、キャビネットの前面側であるフレーム及びそのデザインと、スピーカの取り付け構造は相互に関連している。
【０００５】
例えば特許文献１には、薄型の映像表示装置が開示されている。そして、映像表示装置の左右をさらに肉薄に（奥行き寸法を小さく）することができるスピーカの取り付け構造が開示されている。また特許文献２にも、薄型の映像表示装置が開示されている。また特許文献３には、後部に配置されたスピーカ装置の放音部を受像機の前面のフレームに導く構造が開示されている。
【特許文献１】特開２００３−１７４６９２公報
【特許文献２】特開２００５−２４８７５公報
【特許文献３】特開平０８−０３７６９２号公報
【発明の開示】
【発明が解決しようとする課題】
【０００６】
薄型の映像表示装置の場合は、薄型であるためにスピーカの取り付け箇所も制約を受ける。表示画面の背面部には空間が少ないために、表示画面の周囲のスピーカを配置することになる。例えば、表示画面の下部にスピーカが配置される。
【０００７】
従来の映像表示装置の場合、前面のフレームの縁部に放音部が設けられているが、この放音部は、スピーカの開口と同じ大きさの面積が割り当てられている。このためにフレームの縁部を見た場合、表示画面の領域とスピーカの開口に略等しいだけの放音部の領域とが存在する。ここで、例えば表示画面周囲のフレームの縁部の前面から見た縁幅を小さくするようなデザインを行うと、スピーカの取り付けが困難になる。
【０００８】
そこで、この発明ではフレーム部分を前面から見たとき、フレームの縁であって、特にスピーカ取り付け領域を前面からみて小さく見せることができる映像表示装置を提供することを目的とする。
【０００９】
そして、この発明では、フレームの縁であってスピーカ取り付け領域を前面からみて小さく見せるように改良したことで、この構造を新たな機能として利用できるようにした映像表示装置を提供することを目的とする。
【課題を解決するための手段】
【００１０】
この発明の一実施の形態では、上記の目的を達成するために、キャビネットに映像表示器及びスピーカ装置が取り付けられる映像表示装置において、前記映像表示器の表示画面が中央の開口から露出して配置される前記キャビネットを形成した前面フレーム１２ａと、前記前面フレームの一部を形成しており該前面フレームの下部に位置するフレーム形成部分１２ａ４と、前記フレーム形成部分１２ａ４の長手方向に細長に開口し、この開口を前面開口とするホーン部を形成するための対向面２２，２３が、断面から見て前面開口から後部開口に向かうに従って、互いに湾曲して近づきながら暫時後退した位置に前記後部開口を形成している放音部２１Ｒ、２１Ｌと、前記フレーム形成部分１２ａ４の前記放音部の近くで、前記フレーム形成部分１２ａ４に形成されたリモートコントロール信号用の受信窓５３及び又はインジケータ用の窓５２と、前記フレーム形成部分１２ａ４の裏面に起立して形成された支持部１５ａ−１５ｆと、前記支持部に取り付けられ、音響出力部となる開口を有し、この開口が前記放音部の後部開口に連通するスピーカ装置６０Ｒ，６０Ｌと、前記スピーカ装置６０Ｒ，６０Ｌと前記フレーム形成部分１２ａ４との間であって、前記リモートコントロール信号用の受信窓５３及び又はインジケータ用の窓５２に対向して配置された、リモコン回路を搭載した基板８０を有する。
【発明の効果】
【００１１】
上記の手段により、キャビネット前面から見た場合、スピーカ取り付け領域が狭くみえるデザインを得ることができる。しかも、この基板は、スピーカ装置のユニット基板とフレーム形成部分との間の隙間に配置されるためにフレーム形成部分の幅Ｗ１を拡大する必要がない。
【発明を実施するための最良の形態】
【００１２】
以下、この発明の実施の形態について図面を参照して詳細に説明する。図１は、この実施の形態で説明するテレビジョン放送受信装置１１の正面側の外観を示している。このテレビジョン放送受信装置１１は、主として、装置本体となるほぼ四角形状に形成された薄型のキャビネット１２と、このキャビネット１２を起立させて支持するスタンド１３とから構成されている。スタンド１３は、ほぼ薄型の箱状に形成されている。
【００１３】
キャビネット１２は、前面のフレーム１２ａを有する。このフレーム１２ａは、左右、上下に配置されて前面フレーム１２ａを構成するフレーム形成部分１２ａ１，１２ａ２，１２ａ３，１２ａ４により形成されている。ここで特に下部のフレーム形成部分１２ａ４の構造には特徴があり、あとでも詳しく説明する。
【００１４】
上記キャビネット１２のフレーム１２ａの開口からは、例えば平面型液晶表示パネル等でなる映像表示器１４の表示画面１４ａが露出される。ここでは、画面を正面からみたとき、水平走査ライン方向を左右、垂直方向を上下として説明している。
【００１５】
フレーム１２の下部に位置するフレーム形成部分１２ａ４には、前面から見た場合横方向にスリット状に、左右の放音部２１Ｌ，２１Ｒが形成されている。しかもこの条件のもとで、フレーム形成部分１２ａ４は、前面から見た場合、その幅Ｗ１ができるだけ小さくなるように、工夫されている。この放音部２１Ｌ，２１Ｒには、ネットが張られており、埃などがキャビネット１２内に進入するのを防いでいる。
【００１６】
さらに、放音部２１Ｒの上部には、フレーム形成部分１２ａ４に、スリット状のインジケータ用窓５２、矩形状のリモートコントロール信号用の受信窓５３が設けられている。
【００１７】
図２には、上記放音部２１Ｒの周辺を拡大して示している。放音部２１Ｒを構成する上下の壁２２、２３は、音響効果を向上するようにその形状が工夫されている。この壁２２、２３は、断面から見た場合、放音開口から前面に向かうに従って、互いに離れる方向に湾曲して広がるホーン形状をしている。この形状及び音響効果については、さらに後で詳しく説明する。
【００１８】
上記のように放音部の特徴は、記フレーム形成部分１２ａ４に、横方向に細長い開口部として形成され、この開口部でホーン形状を得るために、該開口部の上側と下側の壁２２，２３が、この断面から見た形状が前面開口から後部開口に向かうに従って、互いに上下方向から湾曲して近づきながら暫時後退した位置に前記後部開口を形成している形状である。
【００１９】
図３は、図２の正面から見た図に対して、キャビネット１２の背面からスピーカ装置６０Ｒの取り付け部を見た図である。スピーカ装置６０Ｒは、図４にも示されている。スピーカ装置は、キャビネットのフレーム形成部分１２ａ４の左右、つまり図１の放音部２１Ｌ，２１Ｒの背面にそれぞれ取り付けられるが、両方とも同一構成であるために、一方のスピーカ装置６０Ｒを以下、図３及び図４を参照して説明する。
【００２０】
スピーカ装置６０Ｒは、矩形状のユニット基板６１を有する。ユニット基板６１は、その左右上下に角部に取り付け穴６１ａ，６１ｂ，６１ｃ，６１ｄを有する。またユニット基板６１の中央領域の上下で左右にずれた位置にも取り付け穴６１ｅ、６１ｆを有する。取り付け穴６１ａ−６１ｆには、それぞれ振動吸収材としての弾性リングが配置されている。弾性リングは、各穴のユニット基板６１の一方と他方の面に配置されている。取り付け穴及びこの部分で使用する振動吸収材の数は、できるだけ少ない数にして、コスト削減、組み立て工数の削減、組み立ての便利性を図っている。
【００２１】
ユニット基板６１の左右中心であって上下中心位置には、基板６１の背面側から高音用スピーカ（いわゆるツィータ）７１が取り付けられている。この高音用スピーカ７１は、ユニット基板６１に対して取り付け部７１ａ，７１ｂにより固定されている。この取り付け部７１ａ，７１ｂを結ぶ線は、先の取り付け穴６１ｅ，６１ｆを結ぶ線に対して直交して交差する。
【００２２】
さらにユニット基板６１には、背面からみて左側に低音用のスピーカ７２が取り付けられ、右側には、低音用のスピーカ７３が取り付けられている。スピーカ７２，７３は、それぞれ開口が楕円計上した金属のフレーム７２ａ，７３ａを有し、フレーム７２ａ，７３ａの後方には、それぞれドライブ部７２ｂ，７３ｂが一体化されている。またフレーム７２ａ，７３ａの前方の開口周囲には、鍔７２ｃ，７３ｃが形成されている。鍔７２ｃ，７３ｃのコーナーには、取り付け片が形成されており、この取り付け片がそれぞれ、ユニット基板６１に起立して形成されている取り付け突起に例えばねじ止めされている。７２ｄ、７２ｅ、７２ｆ、７２ｇがスピーカ７２の取り付け片であり、７３ｄ、７３ｅ、７３ｆ、７３ｇがスピーカ７３の取り付け片である。
【００２３】
図３に示すように、フレーム１２ａのフレーム形成部分１２ａ４の裏側で、スピーカ装置６０Ｒの配置箇所には、取り付け穴６１ａ−６１ｆに対応する位置に、支持部１５ａ−１５ｆが起立してキャビネットに一体成型されて設けられている。図３では、支持部１５ａ、１５ｂ、１５ｅ、１５ｆが見えているが、１５ｃ、１５ｄは、隠れている。
【００２４】
スピーカ装置６０Ｒは、取り付け穴６１ａ−６１ｆと、支持部１５ａ−１５ｆが位置合わせされ、例えば取り付け穴６１ａ−６１ｆから、支持部１５ａ−１５ｆに向けてねじが螺合される。これにより、スピーカ装置６０Ｒがキャビネット１２ａと一体化される。
【００２５】
ここで、スピーカ装置６０Ｒのユニット基板６１と、フレーム１２ａを形成するフレーム形成部分１２ａ４の背面との間には空間が生じる。
【００２６】
そこで、この装置では、この空間部に、インジケータ及びリモコン受信回路を搭載した基板８０が取り付けられている。この基板８０に搭載されたリモコン受信回路は、リモコン信号用の受信窓５３に対向し、またＬＥＤなどのインジケータは、インジケータ用の窓５２に対向している。この基板８０は、スピーカ装置６０Ｒのユニット基板６１とフレーム形成部分１２ａ４との間の隙間に配置されるためにフレーム形成部分１２ａ４の幅Ｗ１を基板８０配置のためにわざわざ拡大する必要はない。基板８０は、フレーム形成部分１２ａ４の裏側にピン上の突出した支持部に対してねじなどで固定される。
【００２７】
図５は、スピーカ装置６０Ｒを前面側から見た図である。ユニット基板６１には、高音用のスピーカ７１の開口部に対応して開口６１ｇが形成されている。また低音用スピーカ７２、７３の開口部に対応して、開口６１ｈ、６１ｉが形成されている。なお、６１ｊ、６１ｋは、製造時に開口６１ｈの幅を安定させるために設けられた梁であり、６１ｌ、６１ｍは、製造時に開口６１ｉの幅を安定させるために設けられた梁である。
【００２８】
また、ユニット基板６１には、スピーカ７２の開口を前方へ延長する部屋部６２ａが形成され、またスピーカ７３の開口を前方へ延長する部屋部６３ａが形成されている。またこの部屋部６２内の音圧による空気振動を加速してフレーム１２のホーン部へ導くための案内部６２ｂが開口６１ｈの周囲に形成され、かつ、前方へ突出している。同様に、部屋部６３内の音圧による空気振動を加速してフレーム１２のホーン部へ導くための案内部６３ｂが開口６１ｉの周囲に形成され、かつ、前方へ突出している。
【００２９】
図６は、上記のスピーカ装置６０Ｒを側面から示した図である。ユニット基板６１の前面側には、先に説明した部屋部６２ａ、６３ａが突出して形成され、また案内部６２ｂ、６３ｂも突出して形成されていることがわかる。
【００３０】
ここでユニット基板６１の短辺方向の長さは、スピーカが配置されたとき、スピーカの同方向の径の長さの例えば１１０％以内である。
【００３１】
図７は、上記したキャビネット１２の背面側を示している。フレームを形成するフレーム形成部分１２ａ４の裏側には、上記したスピーカ装置６０Ｒが取り付けられている。左側のスピーカ装置６０Ｌも取り付けられる。このスピーカ装置６０Ｌも先のスピーカ装置６０Ｒと同じ構成であり、フレーム形成部分への取り付け方法も上記した取り付け方法と同じである。。
【００３２】
このスピーカ装置６０Ｒ、６０Ｌは、中央の高音用スピーカの中心軸Ｐを中心にして点対称で構成されている。取り付け穴６１ｅと６１ｆは点対称であり、取り付け穴６１ａと６１ｄも点対称、取り付け穴６１ｂと６１ｃも点対称である。さらにスピーカ７２と７３も点対称の関係にある。
【００３３】
このために、組み立て作業が容易である。つまり、スピーカ装置６０Ｒをスピーカ装置６０Ｌ側に取り付けることも可能であり、逆にスピーカ装置６０Ｌをスピーカ装置６０Ｒ側に取り付けることも可能である。さらに、スピーカ装置を上下逆にしても、例えば、スピーカ装置６０Ｒを中心軸を中心にして回転させて、左右反転させても、取り付け穴と支持部とが合致するために、容易に取り付けることが可能である。このことは、組み立てライン上でスピーカ装置をキャビネットに組み付ける際に、スピーカ装置の搬送、搬入時の姿勢の自由度が高いことである。このことは、生産ライン設計も容易にするし、組み立て作業員がマニュアルで組み立てるときも、極めて効率がよく、間違いもない。
【００３４】
図８は、スピーカ装置６０Ｒとキャビネット１２のフレーム形成部分１２ａ４との取り付け状態を示す断面図である。８１は液晶パネルである。８２はシャーシ板である。
【００３５】
フレーム形成部分１２ａ４の放音部においては、さきにも説明したように、上下の壁２２、２３が音響効果を向上するようにその形状が工夫されている。この壁２２、２３は、断面から見た場合、放音開口から前面に向かうに従って、互いに上下方向へ離れるように湾曲して広がるホーン形状をしている。壁２２、２３（ホーン部を構成するために対向した面）により構成され、幅狭くなった奥の開口には、ネット２４が張られている。
【００３６】
ここで、壁２３に連続する下部の壁２３ａは、断面から見た形状が、図８のように背面後方へ戻りながら湾曲している。このような形状であるために、壁２３ａの前面は、装置の前面に居る視聴者にとっては、視覚的に目立ちにくいという機能がある。これは、壁が前面から見て垂直になり、視聴者に対して対面するのに比べて、前面から見て（矢印Ａの方向に見た場合）、壁２３ａが傾斜して下側を向いて対面しているために、この面からの光の反射が、視聴者の向かわず、下方に向くからである。よって、フレーム部分を前面から見たとき、フレームの縁であって、特にスピーカ取り付け領域を前面からみて小さく見せることができる。
【００３７】
さらに上記の形状としたことにより、フレーム形成部分１２ａ４の下部に力を加えて装置を持ち上げる際、フレーム１２ａの強度が強化された。仮に図９（Ａ）のような、構成にすると、力Ｂ１がフレーム形成部分の厚み方向へ直接加わるために、変形が生じやすい。これに対して、図９（Ｂ）に示すように、フレーム形成部分１２ａ４の下部に加わる力Ｂ１が、Ｂ２の方向へ変換されて、壁２３ａの幅方向へ作用する。このために、壁２３ａの変形が無く、搬送作業などで有利である。
【００３８】
上記のように、この装置では、フレームの縁であってスピーカ取り付け領域を前面からみて小さく見せるようにした。このために、放音部２１Ｒ、２１Ｌを横方向に細長の形状にした。しかしこの形状としたために、音響効果を維持するあるいは向上するためには、スピーカの開口をフレーム形成部分１２ａ４の裏側に直接取り付けることができなくなった。そこで、この実施形態では、放音部２１Ｒ，２１Ｌをホーン形として、スピーカ装置６０Ｒ，６０Ｌをフレーム形成部分１２ａ４の背面から後退させて、配置するようにした。
【００３９】
この結果、スピーカ装置６０Ｒと、フレーム形成部分１２ａ４との間に空間が生じている。そこで、この装置では、この空間を有効に活用すべく、この位置に上記したインジケータ及びリモコン受信回路を搭載した基板８０を取り付けている。この基板８０は、フレーム形成部分１２ａ４の幅Ｗ１を拡大することなく、スピーカ装置６０Ｒのユニット基板６１とフレーム形成部分１２ａ４との間の隙間に配置される。基板８０は、フレーム形成部分１２ａ４の裏側にピン状に突出した支持部に対してねじなどで固定される。
【００４０】
さらにまた、図８からわかるように放音部２１Ｒにおいて、上側の壁２２の前面突出部に比べて、下側の壁２３の前面突出部が後退している。このために放音部から出力された音響出力は、下側の壁２３及び２３ａに沿って、進む成分の割合が、上下対称のホーン形に比べて多くなる。すると、下側に進んだ音響成分が床で反射し、前方へ伝達される。このことは特に高音成分に対して有効となる。
【００４１】
なお、ユニット基板６１，部屋６２ａ、前記開口部６１ｈを延長する案内部６２ｂ及び放音部２１Ｒとは一体部品であってもよい。またはユニット基板６１，部屋６２ａ、及び前記開口部６１ｈを延長する案内部６２ｂとは一体部品であり、前記放音部２１Ｒはキャビネットに形成されていてもよい。また案内部６２ａの先端と、放音部２１Ｒの後部開口部との当接部には、弾性部材が配置され、振動を吸収し、振動音がでないように図られている。
【００４２】
なお上記の部屋６２ａ，案内部６２ｂ，放音部２１Ｒなどは、キャビティー（空洞）と称してもよいことは勿論である。
【００４３】
図１０は、上記テレビジョン放送受信装置（映像表示装置）１１の信号処理系を概略的に示している。この信号処理系を構成する各種の回路ブロックは、主として、上記キャビネット１２の内部で背面に近い位置、つまり、上記映像表示器１４の表示画面１４ａの裏側あたりに配置されている。
【００４４】
そして、デジタルテレビジョン放送受信用のアンテナ２２２で受信したデジタルテレビジョン放送信号は、入力端子２２３を介してチューナ部２２４に供給される。このチューナ部２２４は、入力されたデジタルテレビジョン放送信号から所望のチャンネルの信号を選局し復調している。そして、このチューナ部２２４から出力された信号は、デコーダ部２２５に供給されて、例えばＭＰＥＧ（moving picture experts group）２デコード処理が施された後、セレクタ２２６に供給される。
【００４５】
さらに、アナログテレビジョン放送受信用のアンテナ２２７で受信したアナログテレビジョン放送信号は、入力端子２２８を介してチューナ部２２９に供給される。このチューナ部２２９は、入力されたアナログテレビジョン放送信号から所望のチャンネルの信号を選局し復調している。そして、このチューナ部２２９から出力された信号は、Ａ／Ｄ（analog／digital）変換部２３０によりデジタル化された後、上記セレクタ２６に出力される。
【００４６】
また、アナログ信号用の入力端子２３１に供給されたアナログの映像及び音声信号は、Ａ／Ｄ変換部２３２に供給されてデジタル化された後、上記セレクタ２２６に出力される。さらに、デジタル信号用の入力端子２３３に供給されたデジタルの映像及び音声信号は、そのまま上記セレクタ２２６に供給される。
【００４７】
上記セレクタ２２６は、４種類の入力デジタル映像及び音声信号から１つを選択して、信号処理部２３４に供給している。この信号処理部２３４は、入力されたデジタル映像信号に所定の信号処理を施して上記映像表示器１４での映像表示に供させている。この映像表示部１４としては、例えば、液晶ディスプレイやプラズマディスプレイ等でなるフラットパネルディスプレイが採用される。また、上記信号処理部２３４は、入力されたデジタル音声信号に所定の信号処理を施し、アナログ化して上記スピーカ２１５（先のスピーカ装置６０Ｒ，６０Ｌに相当する）に出力することにより、音声再生を行なっている。
【００４８】
ここで、このテレビジョン放送受信装置１１は、上記した各種の受信動作を含む種々の動作を制御部２３５によって統括的に制御されている。この制御部２３５は、ＣＰＵ（central processing unit）等を内蔵したマイクロプロセッサであり、上記操作部２１６や操作子２２１（図示せず）からの操作情報、または、上記リモートコントローラ１７から送信された操作情報を受光部２１８を介して受けることにより、その操作内容が反映されるように各部をそれぞれ制御している。
【００４９】
この場合、制御部２３５は、メモリ部２３６を使用している。このメモリ部２３６は、主として、そのＣＰＵが実行する制御プログラムを格納したＲＯＭ（read only memory）と、該ＣＰＵに作業エリアを提供するためのＲＡＭ（random access memory）と、各種の設定情報及び制御情報等が格納される不揮発性メモリとを備えている。
【００５０】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００５１】
【図１】この発明の一実施の形態である映像表示装置の概観を示す図である。
【図２】図１の一部を拡大して示す図である。
【図３】図１の放音部２１Ｒの背面側を示す斜視図である。
【図４】図３に示すスピーカ装置６０Ｒを取り出して示す斜視図である。
【図５】図４に示したスピーカ装置６０Ｒを前面から見て示す斜視図である。
【図６】図５に示したスピーカ装置６０Ｒを側面から見て示す斜視図である。
【図７】図１に示した装置を背面から見て、スピーカ装置の取り付け状態を示す図である。
【図８】この発明の一実施の形態において、スピーカ装置とフレーム形成部分との取り付け状態を示す説明図である。
【図９】図８に示すフレーム形成部分の機能と効果を説明するために示した説明図である。
【図１０】この発明に係る映像表示装置の回路ブロックを示す図である。
【符号の説明】
【００５２】
１２…キャビネット、１２ａ…前面フレーム、１２ａ４…フレーム形成部分、２１Ｒ，２１Ｌ…放音部、２２，２３、２３ａ…壁，６０Ｒ，６０Ｌ…スピーカ装置、８０…基板。
【図１】
2006345294.tif 000003
【図２】
2006345294.tif 000004
【図３】
2006345294.tif 000005
【図４】
2006345294.tif 000006
【図５】
2006345294.tif 000007
【図６】
2006345294.tif 000008
【図７】
2006345294.tif 000009
【図８】
2006345294.tif 000010
【図９】
2006345294.tif 000011
【図１０】
2006345294.tif 000012